(57)【要約】【課題】内視鏡内に設置されるハーネスの先端部の直径を小径化しつつ信号強度の減衰を抑制することができるハーネスアセンブリを提供する。【解決手段】内視鏡用のハーネスアセンブリ１は、少なくとも１つの第１のケーブル２１を有する第１のハーネス２と、第１のハーネスよりもハーネスアセンブリの先端側に設けられ、少なくとも１つの第２のケーブル３１を有する第２のハーネス３と、第１のケーブルと第２のケーブルとを接続する接続部材４１、４２１、５２１と、を備え、第２のハーネスの直径Ｄｂは、第１のハーネスの直径ＤＢよりも小さい（Ｄｂ＜ＤＢ）。【選択図】  図４
2014144102.tif 000002
【特許請求の範囲】
【請求項１】
内視鏡用のハーネスアセンブリであって、
前記ハーネスアセンブリは、
少なくとも１つの第１のケーブルを有する第１のハーネスと、
前記第１のハーネスよりも前記ハーネスアセンブリの先端側に設けられ、少なくとも１つの第２のケーブルを有する第２のハーネスと、
前記第１のケーブルと前記第２のケーブルとを電気的に接続する接続部材と、を備え、
前記第２のハーネスの直径は、前記第１のハーネスの直径よりも小さいことを特徴とするハーネスアセンブリ。
【請求項２】
請求項１に記載のハーネスアセンブリであって、
前記接続部材は、
基板と、
前記基板上に設けられた第１の配線パターンと、を有し、
前記第１のケーブルは、前記第１の配線パターンの一方端に接続され、
前記第２のケーブルは、前記第１の配線パターンの他方端に接続されていることを特徴とするハーネスアセンブリ。
【請求項３】
請求項２に記載のハーネスアセンブリであって、
前記接続部材が折り曲げ可能であることを特徴とするハーネスアセンブリ。
【請求項４】
請求項２に記載のハーネスアセンブリであって、
前記第１のハーネスは、複数の第１のケーブルを有し、
前記第２のハーネスは、複数の第２のケーブルを有し、
前記接続部材は、前記基板の両面に設けられた複数の前記第１の配線パターンを有することを特徴とするハーネスアセンブリ。
【請求項５】
請求項１に記載のハーネスアセンブリであって、
前記接続部材は、
前記第１のケーブルが接続された第１の配線パターンを有する第１の基板と、
前記第２のケーブルが接続された第２の配線パターンを有する第２の基板と、を有し、
前記第１の基板と前記第２の基板を相互に貼り合わせることで前記第１の配線パターンと前記第２の配線パターンとが電気的に接続されていることを特徴とするハーネスアセンブリ。
【請求項６】
請求項１に記載のハーネスアセンブリであって、
前記接続部材は、
基板と、
前記基板の一方面に設けられ、前記第１のケーブルが接続された第１の配線パターンと、
前記基板の一方面に設けられ、前記第２のケーブルが接続された第２の配線パターンと、を有し、
前記基板を折り曲げることで前記第１の配線パターンと前記第２の配線パターンとが電気的に接続されていることを特徴とするハーネスアセンブリ。
【請求項７】
請求項１〜６の何れか１項に記載のハーネスアセンブリであって、
前記第１のハーネスは、
複数の前記第１のケーブルを覆う第１のシールド層と、
前記第１のシールド層の外面を覆う第１の絶縁層と、を有し、
前記第２のハーネスは、複数の前記第２のケーブルを直接覆う第２の絶縁層を有することを特徴とするハーネスアセンブリ。
【請求項８】
請求項１〜６の何れか１項に記載のハーネスアセンブリであって、
前記第１のハーネスは、
複数の前記第１のケーブルを覆う第１のシールド層と
前記第１のシールド層の外面を覆う第１の絶縁層と、を有し、
前記第２のハーネスは、前記ハーネスアセンブリの外部に露出していることを特徴とするハーネスアセンブリ。
【発明の詳細な説明】
【技術分野】
【０００１】
本発明は、内視鏡用のハーネスアセンブリに関するものである。
【背景技術】
【０００２】
内径が非常に小さな（数ｍｍ程度）胆管や膵管に造影剤を注入するための造影チューブを備えた内視鏡が知られている（例えば特許文献１参照）。
【先行技術文献】
【特許文献】
【０００３】
【特許文献１】特開２００７―１１７３９４
【発明の概要】
【発明が解決しようとする課題】
【０００４】
内視鏡本体を胆管や膵管に直接挿入して診断しようとする場合には、当該内視鏡の先端部の直径を数ｍｍ程度まで小さくしなければならず、これに伴って当該内視鏡の内部に設置されるハーネスの先端部も小径化する必要がある。
【０００５】
しかしながら、ハーネスを小径化するためには、当該ハーネスを構成するケーブルも細線化しなければならないため、ハーネスの小径化に伴って当該ハーネス全体の電気的抵抗が大きくなり、ハーネスで伝送される信号の強度が大きく減衰してしまう、という問題がある。
【０００６】
本発明が解決しようとする課題は、ハーネスの先端部の直径を小径化しつつ信号強度の減衰を抑制することができるハーネスアセンブリを提供することである。
【課題を解決するための手段】
【０００７】
［１］本発明に係るハーネスアセンブリは、少なくとも１つの第１のケーブルを有する第１のハーネスと、前記第１のハーネスよりも前記ハーネスアセンブリの先端側に設けられ、少なくとも１つの第２のケーブルを有する第２のハーネスと、前記第１のケーブルと前記第２のケーブルとを電気的に接続する接続部材と、を備え、前記第２のハーネスの直径は、前記第１のハーネスの直径よりも小さいことを特徴とする。
【０００８】
［２］上記発明において、前記接続部材は、基板と、前記基板上に設けられた第１の配線パターンと、を有し、前記第１のケーブルは、前記第１の配線パターンの一方端に接続され、前記第２のケーブルは、前記第１の配線パターンの他方端に接続されていてもよい。
【０００９】
［３］上記発明において、前記接続部材が折り曲げ可能であってもよい。
【００１０】
［４］上記発明において、前記第１のハーネスは、複数の第１のケーブルを有し、前記第２のハーネスは、複数の第２のケーブルを有し、前記接続部材は、前記基板の両面に設けられた複数の前記第１の配線パターンを有していてもよい。
【００１１】
［５］上記発明において、前記接続部材は、前記第１のケーブルが接続された第１の配線パターンを有する第１の基板と、前記第２のケーブルが接続された第２の配線パターンを有する第２の基板と、を有し、前記第１の基板と前記第２の基板を相互に貼り合わせることで前記第１の配線パターンと前記第２の配線パターンとが電気的に接続されていてもよい。
【００１２】
［６］上記発明において、前記接続部材は、基板と、前記基板の一方面に設けられ、前記第１のケーブルが接続された第１の配線パターンと、前記基板の一方面に設けられ、前記第２のケーブルが接続された第２の配線パターンと、を有し、前記基板を折り曲げることで前記第１の配線パターンと前記第２の配線パターンとが電気的に接続されていてもよい。
【００１３】
［７］上記発明において、前記第１のハーネスは、複数の前記第１のケーブルを覆う第１のシールド層と、前記第１のシールド層の外面を覆う第１の絶縁層と、を有し、前記第２のハーネスは、複数の前記第２のケーブルを直接覆う第２の絶縁層を有していてもよい。
【００１４】
［８］上記発明において、複数の前記第１のケーブルを覆う第１のシールド層と前記第１のシールド層の外面を覆う第１の絶縁層と、を有し、前記第２のハーネスは、前記ハーネスアセンブリの外部に露出していてもよい。
【発明の効果】
【００１５】
本発明における内視鏡用のハーネスアセンブリは、第１のハーネスよりも先端側に設けられる第２のハーネスの直径が、当該第１のハーネスの直径よりも小さいため、当該ハーネスアセンブリの先端部を小径化することができる。
【００１６】
また、内視鏡内に設置されるハーネスアセンブリにおいて、小径化することが特に求められる先端部のみを第２のハーネスで構成し、基端部については第１のハーネスを用いて構成することができる。このため、ハーネスアセンブリ全体の電気的抵抗の増大を最小限に抑えることができ、当該ハーネスアセンブリによって伝送される信号の減衰を抑制することができる。
【図面の簡単な説明】
【００１７】
【図１】図１は、本発明の第１実施形態における内視鏡の構成を示す概略断面図である。
【図２】図２（Ａ）は図１のIIA-IIA線に沿った断面図であり、図２（Ｂ）は図１のIIB-IIB線に沿った断面図である。
【図３】図３（Ａ）及び図３（Ｂ）は、本発明のハーネスアセンブリを構成する第２のハーネスの変形例を示す断面図であり、図３（Ａ）は第１変形例であり、図３（Ｂ）は第２変形例である。
【図４】図４は、本発明の第１実施形態におけるハーネスアセンブリの接続部を示す平面図である。
【図５】図５は、本発明の第２実施形態におけるハーネスアセンブリの接続部を示す平面図である。
【図６】図６は、本発明の第３実施形態におけるハーネスアセンブリの接続部を示す平面図である。
【図７】図７は、本発明の第４実施形態におけるハーネスアセンブリの接続部を示す平面図である。
【発明を実施するための形態】
【００１８】
以下、本発明の実施形態を図面に基づいて説明する。
【００１９】
<<第１実施形態>>
図１は本実施形態における内視鏡１０の構成を示す概略断面図であり、図２（Ａ）及び図２（Ｂ）は本実施形態におけるハーネスアセンブリ１を構成するハーネスを示す断面図であり、図３（Ａ）及び図３（Ｂ）は本実施形態におけるハーネスの変形例を示す断面図であり、図４は本実施形態におけるハーネスアセンブリ１の接続部４を示す平面図である。
【００２０】
本実施形態におけるハーネスアセンブリ１は、図１に示すように、第１のハーネス２と、第２のハーネス３と、これらを接続する接続部４と、を備えている。このハーネスアセンブリ１は、内視鏡１０の挿入部１２に組み込まれている。挿入部１２は、内視鏡１０において体腔内に挿入される部分であり、樹脂材料から構成される筒状のチューブ１３を有している。なお、筒状のチューブ１３に代えて、素線を編み組みした編組スリーブやスパイラルチューブ、マルチルーメンチューブを用いてもよい。
【００２１】
第１のハーネス２及び第２のハーネス３は、図２（Ａ）及び図２（Ｂ）に示すように、それらの直径が異なることを除き、実質的に同様な構成を有している。
【００２２】
第１のハーネス２は、図２（Ａ）に示すように、４本の第１のケーブル２１と、それら４本の第１のケーブル２１の周囲を取り囲むように設けられたシールド層２２及び第１の絶縁層２３と、を有している。同様に、第２のハーネス３も、図２（Ｂ）に示すように、４本の第２のケーブル３１と、それら４本の第２のケーブル３１を取り囲むように設けられたシールド層３２及び第２の絶縁層３３と、を有している。第２のハーネス３は、図１に示すように、第１のハーネス２よりも先端側に設けられている。これら第１及び第２のハーネス２、３は筒状のチューブ１３に挿入されていると共に、第２のハーネス３の先端にはカメラ１１が取り付けられている。
【００２３】
第１のケーブル２１は、内部導体２５と、内部導体２５の外周に形成された絶縁部材２６と、絶縁部材２６の外周を取り囲む外部導体２７と、外部導体２７の外周に形成されたケーブルジャケット２８と、を備えている。同様に、第２のケーブル３１は、内部導体３５と、内部導体３５の外周に形成された絶縁部材３６と、絶縁部材３６の外周を取り囲む外部導体３７と、外部導体３７の外周に形成されたケーブルジャケット３８と、を備えている。
【００２４】
内部導体２５、３５は、銅、銀、ニッケル又はこれらの合金等から形成されている。図２に示すように、内部導体２５は７本の細線２５１を撚り合わせた撚り線で構成されていると共に、内部導体３５は３本の細線３５１を撚り合わせた撚り線で構成されているが、内部導体２５、３５をそれぞれ構成する細線２５１、３５１の数は特に限定されない。なお、内部導体２５、３５を単線で構成してもよい。
【００２５】
絶縁部材２６、３６は、所定の厚さを有する絶縁性樹脂から形成されている。この様な絶縁性樹脂としては、例えば、ポリエステル系樹脂、ポリオレフィン系樹脂、ナイロン、フッ素系樹脂等が挙げられる。
【００２６】
第１のケーブル２１の外部導体２７は、シールド層として機能する部位であり、銅、銀、ニッケル又はこれらの合金等からなる線材２７１を、絶縁部材２６の外周に螺旋状に巻回したり、当該線材を編んだ編組材を絶縁部材２６の外周に配置したりすることにより形成される。なお、外部導体２７を構成する線材２７１の数は特に限定されない。
【００２７】
同様に、第２のケーブル３１の外部導体３７も、シールド層として機能する部位であり、銅、銀、ニッケル又はこれらの合金等からなる線材３７１を、絶縁部材３６の外周に螺旋状に巻回したり、当該線材を編んだ編組材を絶縁部材３６の外周に配置したりすることにより形成される。なお、外部導体３７を構成する線材３７１の数は特に限定されない。
【００２８】
ケーブルジャケット２８、３８は、熱可塑性樹脂が押し出し成型されて形成されており、この様な熱可塑性樹脂として、例えば、ポリテトラフルオロエチレンや、テトラフルオロエチレン-パーフルオロアルキルビニルエーテル共重合体や、テトラフルオロエチレン-エチレン共重合体等のフッ素樹脂等が挙げられる。
【００２９】
本実施形態における接続部４では、図４に示すように、ケーブルジャケット２８、３８が剥離されて外部導体２７、３７がそれぞれ露出している。さらに、当該外部導体２７、３７が剥離されて絶縁部材２６、３６がそれぞれ露出している。また、さらに、当該絶縁部材２６、３６が剥離されて内部導体２５、３５がそれぞれ露出している。
【００３０】
本実施形態における第１のハーネス２は、図２（Ａ）に示すように、以上に説明した第１のケーブル２１を４本有しており、４本の当該第１のケーブル２１の周囲を取り囲むようにシールド層２２が設けられている。同様に、本実施形態における第２のハーネス３も、図２（Ｂ）に示すように、第２のケーブル３１を４本有しており、４本の当該第２のケーブル３１の周囲を取り囲むようにシールド層３２が設けられている。
【００３１】
なお、第１のハーネス２が有する第１のケーブル２１の本数は特に限定されず、１本のケーブル２１のみで第１のハーネス２を構成してもよいし、複数のケーブル２１で第１のハーネス２を構成してもよい。また、第２のハーネス３が有する第２のケーブル３１の本数も特に限定されず、１本のケーブル３１のみで第２のハーネス３を構成してもよいし、複数のケーブル３１で第２のハーネス３を構成してもよい。
【００３２】
シールド層２２は、銅、銀、ニッケル又はこれらの合金等からなる線材２２１を、４本の第１のケーブル２１の周囲に螺旋状に巻回したり、当該線材を編んだ編組材を４本の第１のケーブル２１の外周に配置したりすることにより形成される。同様に、シールド層３２は、銅、銀、ニッケル又はこれらの合金等からなる線材３２１を、４本の第２のケーブル３１の周囲に螺旋状に巻回したり、当該線材を編んだ編組材を４本の第２のケーブル３１の外周に配置したりすることにより形成される。なお、シールド層２２及びシールド層３２を構成する線材２２１、３２１の数は特に限定されない。
【００３３】
シールド層２２、３２の周囲には、図２（Ａ）及び図２（Ｂ）に示すように、第１の絶縁層２３、３３がそれぞれ設けられている。
【００３４】
第１及び第２の絶縁層２３、３３は、シールド層２２、３２を物理的又は化学的な損傷からそれぞれ保護するものであり、第１及び第２の絶縁層２３、３３を構成する材料としては、フッ素樹脂、ポリエチレン、ポリ塩化ビニル等の樹脂を例示することができる。
【００３５】
本実施形態では、図２（Ａ）及び図２（Ｂ）に示すように、第２のハーネス３を構成する第２のケーブル３１の直径Ｄａは、第１のハーネス２を構成する第１のケーブル２１の直径ＤＡよりも小さく（Ｄａ＜ＤＡ）、このため、第２のハーネス３の直径Ｄｂは、第１のハーネス２の直径ＤＢよりも小さくなっている（Ｄｂ＜ＤＢ）。
【００３６】
なお、第２のハーネス３の構成は特に限定されない。例えば、図３（Ａ）に示す第２のハーネス３Ｂのように、ハーネス３Ｂがシールド層３２を有しておらず、第２のケーブル３１が第２の絶縁層３３によって直接覆われていてもよい。この場合には、第２のハーネス３Ｂの直径Ｄｃを第２のハーネス３の直径Ｄｂよりも小さくすることができる（Ｄｃ＜Ｄｂ）。
【００３７】
また、図３（Ｂ）に示す第２のハーネス３Ｃのように、第２のケーブル３１がハーネスアセンブリの外部に露出していてもよい。この場合には、第２のハーネス３Ｃの直径Ｄｄをさらに小さくすることができる（Ｄｄ＜Ｄｃ＜Ｄｂ）。
【００３８】
以上に説明した第１のハーネス２を構成する第１のケーブル２１、及び第２のハーネス３を構成する第２のケーブル３１は、ハーネスアセンブリ１の接続部４において、それぞれ電気的に接続されている。
【００３９】
接続部４は、図４に示すように、基板４１と、基板４１上に設けられた一組の配線パターン（第１の配線パターン４２及び第２の配線パターン４３）と、を備えている。
【００４０】
なお、以下の説明において、図４中の右側に示す２本の第１のケーブル２１の内、図中上方に位置するものを第１のケーブル２１Ａ、図中下方に位置するものを第１のケーブル２１Ｂとも称する。また、図４中の左側に示す２本の第２のケーブル３１の内、図中上方に位置するものを第２のケーブル３１Ａ、図中下方に位置するものを第２のケーブル３１Ｂとも称する。
【００４１】
基板４１は、可撓性を有する矩形状の絶縁性材料から構成されており、このような材料としてポリエチレンテレフタレート（ＰＥＴ）、ポリエチレンナフタレート（ＰＥＮ）、ポリイミド樹脂（ＰＩ）やポリエーテルイミド樹脂（ＰＥＩ）等を例示することができる。
【００４２】
基板４１の上側には、図４に示すように、第１の配線パターン４２が形成されており、この第１の配線パターン４２は、それぞれ独立に形成された第１の信号用パターン４２１及び第１の外部導体用パターン４２２から構成されている。第１の配線パターン４２は、銀ペーストや、金ペースト、銅ペースト等の導電性ペーストを基板４１に印刷して硬化することにより形成されている。
【００４３】
こうした第１の配線パターン４２を形成するための具体的な印刷の方法として、スクリーン印刷法やグラビアオフセット印刷法、インクジェット印刷法等を例示することができる。なお、後述する第２の配線パターン４３も、同様の材料及び同様の印刷方法によって形成されている。
【００４４】
第１の信号用パターン４２１は、基板４１の図４中右側に設けられた矩形状の信号用ランド部６２Ｒと図４中左側に設けられた矩形状の信号用ランド部６２Ｌを有しており、それらは配線部６３を介して接続されている。
【００４５】
第１の外部導体用パターン４２２は、基板４１の図４中右側に設けられた外部導体用ランド部７２Ｒと基板４１の図４中左側に設けられた外部導体用ランド部７２Ｌを有しており、それらは配線部７３を介して接続されている。
【００４６】
そして、基板４１の図４中上側において、信号用ランド部６２Ｒには、第１のケーブル２１Ａの内部導体２５が半田等（不図示）で接続されていると共に、信号用ランド部６２Ｌには、第２のケーブル３１Ａの内部導体３５が半田等（不図示）で接続されている。また、外部導体用ランド部７２Ｒには第１のケーブル２１Ａの外部導体２７が半田等（不図示）で接続されていると共に、外部導体用ランド部７２Ｌには第２のケーブル３１Ａの外部導体３７が半田等（不図示）で接続されている。
【００４７】
また、基板４１の図中下側には、第１の配線パターン４２と同様の構成を有する第１の配線パターン４３が設けられている。そして、第１のケーブル２１Ｂの内部導体２５は第１の信号用パターン４２１を介して第２のケーブル３１Ｂの内部導体３５と接続されていると共に、第１のケーブル２１Ｂの外部導体２７は第１の外部導体用パターン４２２を介して第２のケーブル３１Ｂの外部導体３７と接続されている。
【００４８】
本実施形態において、第１の配線パターン４２及び第２の配線パターン４３が本発明の第１の配線パターンの一例に相当し、信号用ランド部６２Ｒ及び外部導体用ランド部７２Ｒが本発明における第１の配線パターンの一方端の一例に相当し、信号用ランド部６２Ｌ及び外部導体用ランド部７２Ｌが本発明における第１の配線パターンの他方端の一例に相当する。
【００４９】
本実施形態では、以上の構成を有する接続部４を２組作製してそれらを重ね合わせることにより、第１のハーネス２が有する４本の第１のケーブル２１と、第２のハーネス３が有する４本の第２のケーブル３１と、がそれぞれ電気的に接続されている。なお、第１及び第２の配線パターンを１枚の基板の両面にそれぞれ設け、それらの配線パターンに第１及び第２のケーブルをそれぞれ接続することにより、１つの接続部で合計４組の第１のケーブル及び第２のケーブルを接続してもよい。
【００５０】
第２のハーネス３の先端に取り付けられるカメラ１１は、例えば、ＣＣＤ素子やＣＭＯＳ素子等の撮像素子を有しており、体腔内の観察対象部位を撮像可能なようにチューブ１３の先端に配置されている。特に図示しないが、内視鏡１０は、光源に接続されたライトガイドがさらに組み合わされており、観察対象部位はこのライトガイドによって照らされながらカメラ１１によって撮像される。
【００５１】
なお、カメラ１１に代えて、超音波センサを接続してもよい。また、カメラ１１の対物レンズやライトガイドの照明レンズを洗浄するために水や空気を供給する送気路や送水路をさらに組み合わせてもよい。また、組織採取や異物回収等に使用される処置具を挿入する鉗子案内路や吸引路を組み合わせてもよい。
【００５２】
因みに、特に図示しないが、第１のケーブル３１の基端側には操作部が設けられており、操作者はこの操作部のアングルノブを操作することで、挿入部１２に挿入された湾曲制御ケーブル（不図示）を介して、挿入部１２の先端を所望の角度に湾曲させることが可能となっている。また、第１のケーブル３１の基端側には、コネクタ等を介して、ビデオプロセッサやモニタを有するビデオシステムに接続されている。カメラ１１によって撮像された画像信号は、第１及び第２のハーネス２、３、及びそれらを接続する接続部４を介して、ビデオプロセッサまで送られて信号処理が施された後に、観察対象部位の画像がモニタに表示される。
【００５３】
次に、本実施形態の作用について説明する。
【００５４】
胆管や膵管は数十ｃｍ程度の長さを有していると共に、非常に小さい内径（数ｍｍ程度）を有しているため、内視鏡検査においてそれら胆管又は膵管の内側を観察するには、当該内視鏡の先端部分を数ｍｍ程度まで細くしなければならない。そして、これに伴って当該内視鏡の内部配線も細線化する必要がある。しかしながら、内視鏡の内部配線全てを細線化すると、当該内部配線の電気的抵抗が増大するため、内視鏡の先端に取り付けられたカメラ１１からの画像信号が減衰し、鮮明な画像を得ることができない。
【００５５】
これに対し、本実施形態における内視鏡用のハーネスアセンブリ１は、異なる直径の第１及び第２のケーブル２１、３１が接続部４において電気的に接続されている。これにより、ハーネスアセンブリ１の先端側に設けられる第２のケーブル３１の直径Ｄａを、ハーネスアセンブリ１の基端側に設けられる第１のケーブル２１の直径ＤＡよりも小さくすことができる（Ｄａ＜ＤＡ）。このため、第２のケーブル３１を備える第２のハーネス３の直径Ｄｂを、第１のケーブル２１を備える第１のハーネス２の直径ＤＢよりも小さくすることができ（Ｄｂ＜ＤＢ）、ハーネスアセンブリ１及び当該ハーネスアセンブリ１を備えた内視鏡１０の先端を小径化することができる。
【００５６】
また、例えば胆管を観察する場合、胆管の入り口である十二指腸までは、内視鏡を挿入する上で比較的広いスペース（内径数十ｍｍ程度）が確保される。このため、小径化することが特に求められる内視鏡１０の先端部分のみを第２のハーネス３で構成し、当該内視鏡１０の基端側については、第２のハーネス３の直径Ｄｂよりも大きい直径ＤＢを有する第１のハーネスを用いてハーネスアセンブリ１を構成することができる。これにより、内視鏡１０の先端部の小径化に伴うハーネスアセンブリ１の電気的抵抗の増大を最小限に抑えることができ、当該ハーネスアセンブリ１によって伝送されるカメラ１１の画像信号の減衰を抑制することができる。
【００５７】
<<第２実施形態>>
図５は本発明の第２実施形態におけるハーネスアセンブリの接続部４Ｂを示す平面図である。第２実施形態おけるハーネスアセンブリは、接続部４Ｂが第１実施形態と異なる以外は、上述した第１実施形態と同様であるので、第１実施形態と相違する部分についてのみ説明し、第１実施形態と同一である部分については、第１実施形態と同一の符号を付して説明を省略する。
【００５８】
本実施形態におけるハーネスアセンブリの接続部４Ｂは、図５に示すように、矩形状の基板４１Ｂを備えている。この基板４１Ｂは、互いに略等しい矩形状の第１のエリア４１１及び第２のエリア４１２を有している。また、これら第１及び第２のエリア４１１、４１２の境界には折り曲げ部４１０が設けられており、この折り曲げ部４１０で基板４１Ｂを折り曲げることが可能となっている。
【００５９】
第１のエリア４１１及び第２のエリア４１２には、第１実施形態で説明した接続部４と同様の構成を有する第１の配線パターン４２、４３がそれぞれ設けられており、これらの第１の配線パターン４２、４３によって合計４組の第１のケーブル２１及び第２のケーブル３１が接続されている。そして、折り曲げ部４１０で基板４１Ｂを折り曲げることにより接続部４Ｂが構成されている。
【００６０】
本例においても、第１実施形態と同様の効果を得ることができる。
【００６１】
<<第３実施形態>>
図６は本発明の第３実施形態におけるハーネスアセンブリの接続部４Ｃを示す平面図である。第３実施形態おけるハーネスアセンブリは、接続部４Ｃが第１実施形態と異なる以外は、上述した第１実施形態と同様であるので、第１実施形態と相違する部分についてのみ説明し、第１実施形態と同一である部分については、第１実施形態と同一の符号を付して説明を省略する。
【００６２】
本実施形態におけるハーネスアセンブリの接続部４Ｃは、図６に示すように、略等しい矩形状を有する第１の基板４１１Ｂ及び第２の基板４１２Ｂを備えている。
【００６３】
第１の基板４１１Ｂの図６中上側には第１の配線パターン４２Ｂが設けられており、この第１の配線パターン４２Ｂは、それぞれ独立に形成された第１の信号用パターン４２１Ｂ及び第１の外部導体用パターン４２２Ｂから構成されている。
【００６４】
第１の信号用パターン４２１Ｂは、図６に示すように、図中右側に設けられた矩形状の信号用ランド部４４と図中左側に設けられた矩形状の接続用ランド部４５を有しており、それらの下端は配線部４６を介して接続されている。
【００６５】
一方、第１の外部導体用パターン４２２Ｂは、図６中右側に設けられた矩形状の外部導体用ランド部４７と図中左側に設けられた矩形状の接続用ランド部４８を有しており、それらの上端は配線部４９を介して接続されている。
【００６６】
第１の基板４１１Ｂの上側に設けられたこれら４つのランド４４、４５、４７、４８は、図６に示すように、図中の左右に略一列に並ぶように形成されていると共に、信号用ランド部４４は配線部４９と対向し、接続用ランド部４８は配線部４６と対向するように設けられている。
【００６７】
そして、第１の信号用パターン４２１Ｂの信号用ランド部４４は第１のケーブル２１Ａの内部導体２５と接続されていると共に、第１の外部導体用パターン４２２Ｂの外部導体用ランド部４７は第１のケーブル２１Ａの外部導体２７と接続されている。
【００６８】
本実施形態における第１の基板４１１Ｂの下側には、図６に示すように、以上に説明した第１の配線パターン４２Ｂと同様の構成を有する第２の配線パターン４３Ｂが形成されており、第１のケーブル２１Ｂと接続されている。なお、本実施形態における第１の配線パターン４２Ｂ及び第２の配線パターン４３Ｂが、本発明の第１の配線パターンの一例に相当する。
【００６９】
また、第２の基板４１２Ｂの図６中下側には第３の配線パターン５２が設けられ、第２のケーブル３１Ａと接続されていると共に、第２の基板４１２Ｂの図５中上側に第４の配線パターン５３が設けられ、第２のケーブル３１Ｂと接続されている。なお、本実施形態における第３の配線パターン５２及び第４の配線パターン５３が、本発明の第２の配線パターンの一例に相当する。
【００７０】
そして、第１の配線パターン４２Ｂの接続用ランド部４５、４８が第３の配線パターン５２の接続用ランド部５５、５８とそれぞれ対向し、第２の配線パターン４３Ｂの接続用ランド部４５、４８が第４の配線パターン５３の接続用ランド部５５、５８とそれぞれ対向するように第１及び第２の基板４１１Ｂ、４１２Ｂを重ねる。
【００７１】
次いで、これら対向する接続用ランド部同士を異方導電性フィルム（ＡＣＦ）等で貼り合わせることにより、第１のケーブル２１Ａ、２１Ｂは第２のケーブル３１Ａ、３１Ｂとそれぞれ電気的に接続される。本実施形態では、この様な構成の接続部４Ｃを２組作製してそれらを重ね合わせることにより、合計４組の第１のケーブル２１及び第２のケーブル３１を接続している。
【００７２】
なお、接続部４Ｃで接続される第１及び第２のケーブル２１、３１の本数は特に限定されない。例えば、特に図示しないが、第１の基板４１１Ｂ上に配線パターン４２Ｂ、４３Ｂと同様の構成の配線パターンをさらに１組設けると共に、第２の基板４１２Ｂ上にも配線パターン５２、５３と同様の構成の配線パターンをさらに１組設け、それらを第１及び第２のケーブル２１、３１とそれぞれ接続する。次いで、接続用ランド部同士を異方導電性フィルム（ＡＣＦ）等でそれぞれ貼り合わせることにより、１つの接続部で合計４組の第１のケーブル及び第２のケーブルを接続してもよい。
【００７３】
本例においても、第１実施形態と同様の効果を得ることができる。
【００７４】
<<第４実施形態>>
図７は本発明の第４実施形態におけるハーネスアセンブリの接続部４Ｄを示す平面図である。第４実施形態おけるハーネスアセンブリは、接続部４Ｄが第１実施形態と異なる以外は、上述した第１実施形態と同様であるので、第１実施形態と相違する部分についてのみ説明し、第１実施形態と同一である部分については、第１実施形態と同一の符号を付して説明を省略する。
【００７５】
本実施形態におけるハーネスアセンブリの接続部４Ｄは、図７に示すように、略等しい大きさの矩形が図中の左右にずれて接合した形状を有する基板４１Ｃを備えている。以下の説明において、基板４１Ｃにおける図７中の下側の矩形を第１のエリア４１１Ｃと称し、基板４１Ｃにおける図７中の上側の矩形を第２のエリア４１２Ｃと称する。
【００７６】
第１のエリア４１１Ｃには、第３実施形態で説明した接続部４Ｃと同様の構成を有する第１及び第２の配線パターン４２Ｂ、４３Ｂが設けられていると共に、第２のエリア４１２Ｃにも、第３実施形態の接続部４Ｃと同様の構成を有する第３及び第４の配線パターン５２、５３が設けられている。
【００７７】
そして、第１及び第２の配線パターン４２Ｂ、４３Ｂは第１のケーブル２１Ａ、２１Ｂとそれぞれ接続されていると共に、第３及び第４の配線パターン５２、５３は第２のケーブル３１Ａ、３１Ｂとそれぞれ接続されている。
【００７８】
また、本実施形態における基板４１Ｃには、図７に示すように、第１のエリア４１１Ｃと第２のエリア４１２Ｃとの境界部分において、当該基板４１Ｃを折り曲げ可能な折り曲げ部４１０Ｂが設けられている。
【００７９】
本実施形態において、第１の配線パターン４２Ｂの接続用ランド部４５と、第３の配線パターン５２の接続用ランド部５５は、折り曲げ部４１０Ｂを挟んで対称な位置にそれぞれ設けられている。また、第１の配線パターン４２Ｂの接続用ランド部４８と、第３の配線パターン５２の接続用ランド部５８も、折り曲げ部４１０Ｂを挟んで対称な位置にそれぞれ設けられている。
【００８０】
同様に、第２の配線パターン４３Ｂが有する接続用ランド部と、第４の配線パターン５３が有する接続用ランド部も、折り曲げ部４１０Ｂを挟んで対称な位置となるようにそれぞれ設けられている。
【００８１】
このため、この折り曲げ部４１０Ｂで基板４１Ｃを折り曲げることにより、接続用ランド部４５は接続用ランド部５５と対向し、接続用ランド部４８は接続用ランド部５８と対向することとなる。
【００８２】
本実施形態では、異方導電性フィルム（ＡＣＦ）等を用いて、接続用ランド部４５と接続用ランド部５５を電気的に接続している。これにより、第１のケーブル２１Ａの内部導体２５と第２のケーブル３１Ａの内部導体３５は、第１の信号用パターン４２１Ｂ及び第２の信号用パターン５２１を介して電気的に接続されている。
【００８３】
同様に、異方導電性フィルム（ＡＣＦ）等を用いて、接続用ランド部４８と接続用ランド部５８を電気的に接続している。これにより、第１のケーブル２１Ａの外部導体２７と第２のケーブル３１Ａの外部導体３７は、第１の外部導体用パターン４２２Ｂ及び第２の外部導体用パターン５２２を介して電気的に接続されている。
【００８４】
また、同様の方法により、第１のケーブル２１Ｂの内部導体２５と第２のケーブル３１Ｂの内部導体３５は電気的に接続されていると共に、第１のケーブル２１Ｂの外部導体２７と第２のケーブル３１Ｂの外部導体３７も電気的に接続されている。本実施形態では、この様な構成の接続部４Ｄを２組作製してそれらを重ね合わせることにより、合計４組の第１のケーブル２１及び第２のケーブル３１を接続している。
【００８５】
この場合においても、第１実施形態と同様の効果を得ることができる。
【００８６】
なお、以上に説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【符号の説明】
【００８７】
１・・・ハーネスアセンブリ
２・・・第１のハーネス
２１・・・第１のケーブル
２２・・・シールド層
２３・・・第１の絶縁層
３・・・第２のハーネス
３１・・・第２のケーブル
３３・・・第２の絶縁層
４、４Ｂ、４Ｃ、４Ｄ・・・接続部
４１、４１Ｂ、４１Ｃ・・・基板
４１１Ｂ・・・第１の基板
４１２Ｂ・・・第２の基板
４２、４２Ｂ・・・第１の配線パターン
４２１、４２１Ｂ・・・第１の信号用パターン
４２２、４２２Ｂ・・・第１の外部導体用パターン
４３、４３Ｂ・・・第２の配線パターン
５２・・・第３の配線パターン
５２１・・・第２の信号用パターン
５２２・・・第２の外部導体用パターン
５３・・・第４の配線パターン
６２Ｒ、６２Ｌ・・・信号用ランド部
７２Ｒ、７２Ｌ・・・外部導体用ランド部
【図１】
2014144102.tif 000003
【図２】
2014144102.tif 000004
【図３】
2014144102.tif 000005
【図４】
2014144102.tif 000006
【図５】
2014144102.tif 000007
【図６】
2014144102.tif 000008
【図７】
2014144102.tif 000009